(57)【特許請求の範囲】
【請求項１】
矩形状の底面と、互いに平行に対向して配置される二組の側面と、を有する梱包箱を組み立てるための一枚のシート状の梱包材であって、
前記底面を形成する二つの底面形成片と、
前記二組の側面のうちの一方の組の側面を形成する二つの一方側面形成片と、
前記二組の側面のうちの他方の組の側面を形成する二つの他方側面形成片と、
を備え、
一つの前記底面形成片と、前記一つの底面形成片と第１の折り線を介して一体に形成される一つの前記一方側面形成片と、前記第１の折り線に対して交差する方向に形成される第２の折り線を介して前記一つの一方側面形成片と一体に形成される一つの前記他方側面形成片と、により形成される第１の梱包片と、
前記第１の梱包片と同一の構成を有し、前記第１の梱包片と回転対称位置に配置される第２の梱包片と、
を備え、
前記第１の梱包片と前記第２の梱包片は、前記一方の側面形成片を挟んで前記第２の折り線の反対側に形成される第３の折り線を介して前記一方の側面形成片と一体に形成される一方の連結片と、前記他方の側面形成片を挟んで前記第２の折り線の反対側に形成される第４の折り線を介して前記他方の側面形成片と一体に形成される他方の連結片を介して連結され、
前記第１の梱包片と前記第２の梱包片との間には切り込み部が直線状に形成され、前記二つの底面形成材は互いに係止部を介して連結可能に形成され、
前記一方の連結片及び前記他方の連結片をそれぞれ前記第３の折り線及び前記第４の折り線に沿って内側に折り曲げることで、前記一方の連結片及び前記他方の連結片が内側に配置される第１梱包箱を形成し、
前記一方の連結片及び前記他方の連結片をそれぞれ前記第３の折り線及び前記第４の折り線に沿って外側に折り曲げることで、前記一方の連結片及び前記他方の連結片が外側に配置される第２梱包箱を形成し、
前記第２梱包箱は、前記第１梱包箱に嵌合可能に構成され、前記第１梱包箱の開口を閉塞させる蓋としての機能を有することを特徴とする梱包材。
【請求項２】
前記係止部は、前記第１の折り線の反対側の前記底面形成片の外周辺から前記第１の折り線に対して交差する方向に形成されたスリットにより構成されていることを特徴とする請求項１に記載の梱包材。
【発明の詳細な説明】
【技術分野】
【０００１】
本発明は、内部に梱包物を収納する梱包箱を組み立てるための一枚のシート状の梱包材に関する。
【背景技術】
【０００２】
一般に、画像形成装置の各部品等を梱包するために、段ボール等の厚紙製の梱包材が使用されている。
【０００３】
この種の梱包材としては、例えば、特許文献１に記載されているように、シート材を各折り目線に沿って折り曲げて梱包箱を組立てる際、前後左右の壁面部の折り曲げ片を折り曲げ、それらの各ロック爪を底面部にある各ロック穴に係合させるとともに、各ロック穴に設けた舌片を内側に押圧して、その舌片により折り曲げ片を支持して固定するようにしたものが知られている。
【先行技術文献】
【特許文献】
【０００４】
【特許文献１】特開２００１−３２２６２８号公報
【発明の概要】
【発明が解決しようとする課題】
【０００５】
しかしながら、上記した特許文献１に記載の梱包材では、壁面部を形成するために折り曲げ片を折り返して重ね合せたり、梱包箱の形状を固定するために壁面部に形成されたフラップを内側に折り込んだりする必要がある。そのため、シート材の面積が増大したり、折り込み工数が増加したりするといった問題が生じている。
【０００６】
一方、これらの折り曲げ片やフラップを省略するためには、糊付け作業が必要となり、梱包箱の組み立て作業の効率を高めることが難しいといった問題もある。
【０００７】
本発明は、上記した課題を解決すべくなされたものであり、梱包材の面積や折り込み工数を削減することができると共に、糊付け作業を省略して梱包箱の組み立て作業の効率を高めることのできる梱包材を提供することを目的とする
【課題を解決するための手段】
【０００８】
上記した目的を達成するため、本発明は、矩形状の底面と、互いに平行に対向して配置される二組の側面と、を有する梱包箱を組み立てるための一枚のシート状の梱包材であって、前記底面を形成する二つの底面形成片と、前記二組の側面のうちの一方の組の側面を形成する二つの一方側面形成片と、前記二組の側面のうちの他方の組の側面を形成する二つの他方側面形成片と、を備え、一つの前記底面形成片と、前記一つの底面形成片と第１の折り線を介して一体に形成される一つの前記一方側面形成片と、前記第１の折り線に対して交差する方向に形成される第２の折り線を介して前記一つの一方側面形成片と一体に形成される一つの前記他方側面形成片と、により形成される第１の梱包片と、前記第１の梱包片と同一の構成を有し、前記第１の梱包片と回転対称位置に配置される第２の梱包片と、を備え、前記第１の梱包片と前記第２の梱包片は、前記一方の側面形成片を挟んで前記第２の折り線の反対側に形成される第３の折り線を介して前記一方の側面形成片と一体に形成される一方の連結片と、前記他方の側面形成片を挟んで前記第２の折り線の反対側に形成される第４の折り線を介して前記他方の側面形成片と一体に形成される他方の連結片を介して連結され、前記第１の梱包片と前記第２の梱包片との間には切り込み部が直線状に形成され、前記二つの底面形成材は互いに係止部を介して連結可能に形成されていることを特徴とする。
【０００９】
本発明に係る梱包材において、前記係止部は、前記第１の折り線の反対側の前記底面形成片の外周辺から前記第１の折り線に対して交差する方向に形成されたスリットにより構成されていても良い。
【００１０】
本発明に係る梱包材は、前記第１の梱包片及び前記第２の梱包片が連結部を介して複数連結されていても良い。
【００１１】
本発明に係る梱包材は、前記第１の梱包片と前記第２の梱包片のいずれかの梱包片の前記底面形成片と折り線を介して一体に形成され、前記一方側面形成片の外側に重合可能に形成される側面外側片と、前記側面外側片を挟んで前記折り線の反対側に形成される別の折り線を介して前記側面外側片と一体に形成され、前記底面に対向して配置される蓋を形成する蓋形成片と、をさらに備えていても良い。
【発明の効果】
【００１２】
本発明によれば、シート材の面積や折り込み工数を削減することができると共に、糊付け作業を省略して梱包箱の組み立て作業の効率を高めることができる等、種々の優れた効果を得ることができる。
【図面の簡単な説明】
【００１３】
【図１】本発明の第１の実施の形態に係る梱包材を示す展開図である。
【図２】本発明の第１の実施の形態に係る梱包材で梱包箱を組み立てる手順を示す斜視図である。
【図３】本発明の第１の実施の形態に係る梱包材で梱包箱を組み立てる手順を示す斜視図である。
【図４】本発明の第１の実施の形態に係る梱包材で組み立てられた梱包箱を示す斜視図である。
【図５】本発明の第１の実施の形態に係る梱包材で組み立てられた梱包箱を示す斜視図である。
【図６】本発明の第２の実施の形態に係る梱包材を示す展開図である。
【図７】本発明の第２の実施の形態に係る梱包材で梱包箱を組み立てる手順を示す斜視図である。
【図８】本発明の第２の実施の形態に係る梱包材で組み立てられた梱包箱を示す斜視図である。
【図９】本発明の第３の実施の形態に係る梱包材を示す展開図である。
【発明を実施するための形態】
【００１４】
以下、図面を参照しつつ、本発明の実施の形態について説明する。
【００１５】
まず、図１乃至図５を参照しつつ、本発明の第１の実施の形態に係る梱包材１０について説明する。ここで、図１は梱包材１０を示す展開図、図２及び図３は梱包材１０で梱包箱１を組み立てる手順を示す斜視図、図４は梱包材１０で組み立てられた梱包箱１を示す斜視図、図５は梱包材１０で組み立てられた梱包箱１を示す斜視図である。
【００１６】
本発明の第１の実施の形態に係る梱包材１０は、例えば段ボール製の厚紙等の一枚のシート状の部材により形成されおり、梱包材１０を折り曲げることで梱包箱１が組み立てられるようになっている。
【００１７】
この梱包箱１は、図４又は図５に示されているように、細長直方体の外観形状を有しており、画像形成装置の現像ユニット用部品の固定部材等の梱包物を内部に収納可能に構成されている。梱包箱１は、細長矩形状の底面２と、底面２の外周辺部からそれぞれ立設される二組の側面３ａ，３ｂ、４ａ，４ｂと、を備えて構成され、梱包箱１の底面２に対向する面は開口されている。二組の側面３ａ，３ｂ、４ａ，４ｂのうち、一方の組の側面３ａ，３ｂは、底面２の長辺に沿って細長く形成され、互いに平行に対向するように配置されている。また、二組の側面３ａ，３ｂ、４ａ，４ｂのうち、他方の組の側面４ａ，４ｂは、底面２の短辺に沿って形成され、互いに平行に対向するように配置されている。
【００１８】
図１に良く示されているように、梱包材１０は、底面２を形成する二つの底面形成片１１ａ，１１ｂと、前記一方の組の側面３ａ，３ｂを形成する二つの一方側面形成片１２ａ，１２ｂと、前記他方の組の側面４ａ，４ｂを形成する二つの他方側面形成片１３ａ，１３ｂと、を備えている。
【００１９】
梱包材１０は、互いに回転対称位置に配置される第１の梱包片１４Ａと第２の梱包片１４Ｂとを備えて構成され、第１の梱包片１４Ａと第２の梱包片１４Ｂは同一の構成を有している。
【００２０】
第１の梱包片１４Ａは、一つの底面形成片１１ａと、一つの底面形成片１１ａと第１の折り線１５ａを介して一体に形成される一つの一方側面形成片１２ａと、第１の折り線１５ａに対して直交する方向に形成される第２の折り線１６ａを介して一つの一方側面形成片１２ａと一体に形成される一つの他方側面形成片１３ａと、により構成されている。
【００２１】
底面形成片１１ａは、底面２に対応した細長矩形状を有し、その角は面取りされている。底面形成片１１ａには、第１の折り線１５ａの反対側の外周辺の中央部から第１の折り線１５ａに対して直交する方向にスリット１８ａが形成され、このスリット１８ａは底面形成片１１ａのほぼ中心部辺りまで延出している。
【００２２】
一方側面形成片１２ａは、底面形成片１１ａの長辺部分と同じ長さを有する長方形状を有しており、第１の折り線１５ａは底面形成片１１ａと一方側面形成片１２ａの間において長辺方向に直線状に形成されている。
【００２３】
他方側面形成片１３ａは、底面形成片１１ａの短辺部分と略同じ長さを有する長方形状を有しており、第２の折り線１６ａは一方側面形成片１２ａと他方側面形成片１３ａの間において短辺方向に直線状に形成されている。
【００２４】
一方側面形成片１２ａを挟んで第２の折り線１６ａの反対側には、一方側面形成片１２ａの短辺部分に沿って直線状に形成される第３の折り線１９ａを介して一方の連結片２０ａが一方側面形成片１２ａと一体に形成されている。一方の連結片２０ａは、一方側面形成片１２ａの短辺部分と同じ長さを有する長方形状を有しており、その角は面取りされている。
【００２５】
他方側面形成片１３ａを挟んで第２の折り線１６ａの反対側には、他方側面形成片１３ａの短辺部分に沿って直線状に形成される第４の折り線２１ａを介して他方の連結片２２ａが他方側面形成片１３ａと一体に形成されている。他方の連結片２２ａは、他方側面形成片１３ａの短辺部分と同じ長さを有する長方形状を有しており、その角は面取りされている。
【００２６】
第２の梱包片１４Ｂは、上述したように、第１の梱包片１４Ａと同一の構成を有しているため、その構成についての詳細な説明は省略するが、一つの底面形成片１１ｂと、一つの底面形成片１１ｂと第１の折り線１５ｂを介して一体に形成される一つの一方側面形成片１２ｂと、第２の折り線１６ｂを介して一つの一方側面形成片１２ｂと一体に形成される一つの他方側面形成片１３ｂと、により構成されている。また、第１の梱包片１４Ａと同様に、第２の梱包片１４Ｂの底面形成片１１ｂには、スリット１８ｂが形成され、第１の梱包片１４Ａの底面形成材１１ａと第２の梱包片１４Ｂの底面形成片１１ｂとは互いにスリット１８ａ，１８ｂ同士が係脱可能な係止部として機能することで連結可能となっている。
【００２７】
一方側面形成片１２ｂには第３の折り線１９ｂを介して一方の連結片２０ｂが一方側面形成片１２ｂと一体に形成され、一方の連結片２０ｂは第１の梱包片１４Ａの他方の連結片２２ａと第５の折り線２３を介して一体に形成されている。また、他方側面形成片１３ｂには第４の折り線２１ｂを介して他方の連結片２２ｂが他方側面形成片１３ｂと一体に形成され、他方の連結片２２ｂは第１の梱包片１４Ａの一方の連結片２０ａと第６の折り線２４を介して一体に形成されている。これにより、第１の梱包片１４Ａと第２の梱包片１４Ｂとは一方の連結片２０ａ，２０ｂ及び他方の連結片２２ａ，２２ｂを介して連結されている。
【００２８】
第１の梱包片１４Ａと第２の梱包片１４Ｂとの間には、第５の折り線２３及び第６の折り線２４の延長線上に切り込み部２５が直線状に形成されている。
【００２９】
上記した構成を備えた梱包材１０により梱包箱１を組み立てる場合、まず、図２に示すように、第１の梱包片１４Ａの第１の折り線１５ａ及び第２の折り線１６ａに沿って、底面形成片１１ａ及び他方側面形成片１３ａを一方側面形成片１２ａに対してそれぞれ内側（図２の矢印方向）に折り曲げると共に、第２の梱包片１４Ｂの第１の折り線１５ｂ及び第２の折り線１６ｂに沿って、底面形成片１１ｂ及び他方側面形成片１３ｂを一方側面形成片１２ｂに対してそれぞれ内側（図２の矢印方向）に折り曲げる。これにより、第１の梱包片１４Ａと第２の梱包片１４Ｂは、図３に示すように、それぞれ長手方向に相対的にスライド移動した状態になる。
【００３０】
次いで、図３に示すように、一方の連結片２０ａ，２０ｂ及び他方の連結片２２ａ，２２ｂをそれぞれ第３の折り線１９ａ，１９ｂ及び第４の折り線２１ａ，２１ｂに沿って内側に折り曲げる。その後、第１の梱包片１４Ａの一方の連結片２０ａと第２の梱包片１４Ｂの他方の連結片２２ｂが重なり合うように第６の折り線２４に沿って一方の連結片２０ａと他方の連結片２２ｂを折り曲げると共に、第１の梱包片１４Ａの他方の連結片２２ａと第２の梱包片１４Ｂの一方の連結片２０ｂが重なり合うように第５の折り線２３に沿って他方の連結片２２ａと一方の連結片２０ｂを折り曲げる。
【００３１】
最後に、第１の梱包片１４Ａの底面形成片１１ａのスリット１８ａと第２の梱包片１４Ｂの底面形成片１１ｂのスリット１８ｂとをお互いに係止させることで、図４に示されているように、梱包箱１が形成される。
【００３２】
なお、上記したように梱包箱１を組み立てる過程において、一方の連結片２０ａ，２０ｂ及び他方の連結片２２ａ，２２ｂをそれぞれ第３の折り線１９ａ，１９ｂ及び第４の折り線２１ａ，２１ｂに沿って外側に折り曲げることで、図５に示すように、一方の連結片２０ａ，２０ｂ及び他方の連結片２２ａ，２２ｂが外側に配置されるように梱包箱１’を構成しても良い。この場合、図５の梱包箱１’を図４の梱包箱１に嵌合可能に構成することで、梱包箱１’に梱包箱１の開口を閉塞させる蓋としての機能を持たせることができる。
【００３３】
次に、図６乃至８を参照しつつ、本発明の第２の実施の形態に係る梱包材３０について説明する。ここで、図６は梱包材３０を示す展開図、図７は梱包材３０で梱包箱５を組み立てる手順を示す斜視図、図８は梱包材３０で組み立てられた梱包箱５を示す斜視図である。なお、以下の説明において、上記した本発明の第１の実施の形態に係る梱包材１０及び梱包箱１と同等の構成については、説明の簡略化のため、図６乃至８中、図１乃至５と同一の符号を付し、その詳細な説明は省略する。
【００３４】
本発明の第２の実施の形態に係る梱包材３０は、例えば段ボール製の厚紙等の一枚のシート状の部材により形成されており、梱包材３０を折り曲げることで梱包箱５が組み立てられるようになっている。この梱包箱５は、図８に示されているように、上記した本発明の第１の実施の形態における梱包箱１を２個並設した外観形状を有しており、各梱包箱１は、それぞれ、底面２と二組の側面３ａ，３ｂ、４ａ，４ｂとを備えている。
【００３５】
図６に良く示されているように、梱包材３０は、第１の梱包材３０Ａと第２の梱包材３０Ｂを長手方向に連結して一体に形成することで構成されている。
【００３６】
第１の梱包材３０Ａは、二つの底面形成片１１ａ，１１ｂと、二つの一方側面形成片１２ａ，１２ｂと、二つの他方側面形成片１３ａ，１３ｂと、他方の連結片２２ａと、一方の連結片２０ｂと、を備えている。また、第２の梱包材３０Ｂは、二つの底面形成片１１ａ，１１ｂと、二つの一方側面形成片１２ａ，１２ｂと、二つの他方側面形成片１３ａ，１３ｂと、一方の連結片２０ａと、他方の連結片２２ｂと、を備えている。
【００３７】
第１の梱包材３０Ａと第２の梱包材３０Ｂとの間には、連結部３１が形成されている。連結部３１は、第１の梱包材３０Ａの第１の梱包片１４Ａの一方側面連結片１２ａと第３の折り線１９ａを介して一体に形成されると共に第２の梱包材３０Ｂの第１の梱包片１４Ａの他方側面連結片１３ａと第４の折り線２１ａを介して一体に形成される一方の連結部形成片３１ａと、第１の梱包材３０Ａの第２の梱包片１４Ｂの他方側面連結片１３ｂと第４の折り線２１ｂを介して一体に形成されると共に第２の梱包材３０Ｂの第２の梱包片１４Ｂの一方側面連結片１２ｂと第３の折り線１９ｂを介して一体に形成される他方の連結部形成片３１ｂと、により構成されている。一方の連結形成片３１ａと他方の連結部形成片３１ｂは、他方側面形成片１３ａ，１３ｂと同一形状及び同一寸法を有しており、一方の連結形成片３１ａと他方の連結部形成片３１ｂと間には第７の折り線３２が形成されている。
【００３８】
上記した構成を備えた梱包材３０により梱包箱５を組み立てる場合、上記した本発明の第１の実施の形態の場合と同様の手順で、図７に示すように、それぞれ、２つの梱包箱１を組み立てる。
【００３９】
この時、一方の連結形成片３１ａと他方の連結部形成片３１ｂが重ね合わされることで連結部３１が形成され、この連結部３１を第２の梱包材３０Ｂの側面４ａの外面に重ね合せることで、図８に示されているように、梱包箱１が２個並設された梱包箱５が形成される。なお、この時、梱包箱１が２個並設された状態を保持するために、連結部３１の反対側で側面３ａ，３ａ同士をテープで固定しても良い。
【００４０】
なお、上記した本発明の第２の実施の形態において、梱包材３０は、第１の梱包材３０Ａと第２の梱包材３０Ｂを連結部３１により連結することで構成されているが、３つ以上の梱包材を連結部３１により連結しても良い。この場合、第１の梱包材３０Ａ及び第２の梱包材３０Ｂの他方の連結片２２ａ及び一方の連結片２０ｂを一方の連結形成片３１ａ及び他方の連結部形成片３１ｂの１／２の形状及び寸法とすることで、第１の梱包材３０Ａと第２の梱包材３０Ｂの共通化を図ることができるため、製造作業の簡素化を一段と図ることができる。
【００４１】
次に、図９を参照しつつ、本発明の第３の実施の形態に係る梱包材４０について説明する。ここで、図９は梱包材４０を示す展開図である。なお、以下の説明において、上記した本発明の第１の実施の形態に係る梱包材１０と同等の構成については、説明の簡略化のため、図９中、図１と同一の符号を付し、その詳細な説明は省略する。
【００４２】
本発明の第３の実施の形態に係る梱包材４０は、例えば段ボール製の厚紙等の一枚のシート状の部材により形成されており、梱包材４０を折り曲げることで梱包箱（図示省略）が組み立てられるようになっている。この梱包箱は、上記した本発明の第１の実施の形態における梱包箱１の底面２に対向する開口面を閉塞する蓋を備えた細長直方体の外観形状を有している。
【００４３】
図９に示されているように、梱包材４０は、上記した本発明の第１の実施の形態に係る梱包材１０に加えて、第１の梱包片１４Ａの底面形成片１１ａと折り線４１を介して一体に形成される側面外側片４２と、側面外側片４２を挟んで折り線４１の反対側に形成される別の折り線４３を介して側面外側片４２と一体に形成される蓋形成片４４と、をさらに備えている。
【００４４】
底面形成片１１ａは、中央のスリット１８を挟んで一方側部分１１ａａが側面外側片４２側に僅かに長く形成されており、一方側部分１１ａａの反対側の他方側部分１１ａｂと側面外側片４２との間に細長孔４５が形成されている。側面外側片４２は、一方側面形成片１２ａと同一形状及び同一寸法を有している。
【００４５】
蓋形成片４４は、底面形成片１１ａ，１１ｂとほぼ同一の外径寸法を有しているが、蓋形成片４４の長辺方向の長さは、底面形成片１１ａ，１１ｂより僅かに短く形成されている。蓋形成片４４の両側短辺部分には、略１／４円弧状のフラップ４６がそれぞれ折り線４７を介して一体に形成され、蓋形成片４４の長辺部分には、細長のフラップ４８が折り線４９を介して一体に形成されている。
【００４６】
上記した構成を備えた梱包材４０により前記梱包箱を組み立てる場合、まず、上記した本発明の第１の実施の形態の場合と同様の手順で、梱包箱１（図４参照）を組み立てる。この時、細長孔４５を介して、底面形成片１１ｂの他方側部分１１ｂｂの先端部を挿通させることで、梱包箱１を円滑且つ容易に組み立てることできる。
【００４７】
その後、側面３ｂ（図４参照）を形成する一方側面形成片１２ｂの外側に側面外側片４２を重ね合わせ、梱包箱１の底面２（図４参照）を形成する側面形成片１１ａ，１１ｂに対向する位置に蓋形成片４４を配置する。この状態で、各フラップ４６，４６，４８を蓋体形成片４４と一方側面形成片１２ａ及び他方側面形成片１３ａ，１３ｂとの間に形成される隙間に挿入することで、前記梱包箱が形成される。
【００４８】
上記したように本発明の第１乃至第３の実施の形態に係る梱包材１０，３０，４０によれば、側面を形成するために側面形成片を折り返して重ね合せたりする必要がなく、梱包材の面積が増大したり、折り込み工数が増加したりすることがない。また、梱包箱１，５の形状を保持するために糊付け作業を行う必要がない。したがって、梱包材の面積や折り込み工数を削減することができると共に、梱包箱の組み立て作業の効率化を図ることができる。
【００４９】
なお、上記した本発明の各実施の形態の説明は、本発明に係る梱包材における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５０】
１    梱包箱
２    底面
３ａ，３ｂ，４ａ，４ｂ  側面
５  梱包箱
１０  梱包材
１１ａ，１１ｂ  底面形成片
１２ａ，１２ｂ  一方側面形成片
１３ａ，１３ｂ  他方側面形成片
１４Ａ  第１の梱包片
１４Ｂ  第２の梱包片
１５ａ，１５ｂ  第１の折り線
１６ａ，１６ｂ  第２の折り線
１８ａ，１８ｂ  スリット（係止部）
１９ａ，１９ｂ  第３の折り線
２０ａ，２０ｂ  一方の連結片
２１ａ，２１ｂ  第４の折り線
２２ａ，２２ｂ  他方の連結片
２５  切り込み部
３０  梱包材
３１  連結部
４０  梱包材
４１  折り線
４２  側面外側片
４３  別の折り線
４４  蓋形成片
【図１】
0006589739.tif 000002
【図２】
0006589739.tif 000003
【図３】
0006589739.tif 000004
【図４】
0006589739.tif 000005
【図５】
0006589739.tif 000006
【図６】
0006589739.tif 000007
【図７】
0006589739.tif 000008
【図８】
0006589739.tif 000009
【図９】
0006589739.tif 000010